(57)【要約】      （修正有）【課題】大画面のモニタを有する構造でありながら、大画面のモニタが必要でない場合には、この大画面モニタを隠して保護することができる画像表示装置を有する機器を提供すること。【解決手段】撮影レンズ１を介して取得した画像を表示する大画面モニタ４を有する扉部２ａと、この扉部２ａに対して相対移動が可能であり、大画面モニタ４と対向して、大画面モニタ４の画面大きさをより小さく制限可能に構成された開口４ａを有するカメラ本体２とを含んで構成する。【選択図】    図１
2004229080.tif 000002
【特許請求の範囲】
【請求項１】
撮影レンズと、
上記撮影レンズを介して取得した画像を表示する画面表示部を有する第１の筐体と、
上記第１の筐体に対して相対移動が可能であり、上記画面表示部と対向して上記画面表示部の画面大きさをより小さく制限可能に構成された開口を有する第２の筐体と、を具備することを特徴とする画像表示装置を有する機器。
【請求項２】
上記相対移動は上記第１の筐体と上記第２の筐体の間に設けられた丁番構造によって回動可能とすることを特徴とする請求項１に記載の画像表示装置を有する機器。
【請求項３】
上記撮影レンズが上記第１の筐体に設けられていることを特徴とする請求項１に記載の画像表示装置を有する機器。
【請求項４】
画像を再生するためのモニタと、
上記モニタを有する筐体と、
上記モニタの画面大きさを規制するための規制部材と、を有し、
上記規制部材には、上記筐体を把持するためのグリップ部が形成されていることを特徴とする画像表示装置を有する機器。
【請求項５】
上記規制部材によって上記モニタの画面大きさが規制されたときには撮影を行うための第１のモードであると判定して第１のモードに対応する動作を開始させ、上記規制部材によって上記モニタの画面大きさが規制されていないときには画像再生を行うための第２のモードであると判定して第２のモードに対応する動作を開始させる制御手段を更に具備することを特徴とする請求項４に記載の画像表示装置を有する機器。
【請求項６】
上記規制部材によって上記モニタの画面大きさが規制された場合には、規制された画面大きさで全ての画像を表示できるように、画像を縮小して表示する表示制御手段を更に具備することを特徴とする請求項４に記載の画像表示装置を有する機器。
【請求項７】
上記表示制御手段は、上記画像を縮小して表示する場合に、上記規制前の画像と同じ縦横比を保ったまま縮小表示を行うことを特徴とする請求項６に記載の画像表示装置を有する機器。
【請求項８】
画像を縮小してモニタに表示する第１の表示モードと、画像を拡大して表示する第２の表示モードを有する画像表示装置を有する機器であって、
上記モニタを観察している観察者を特定する特定手段と、
上記特定手段によって特定された観察者に応じて上記第１の表示モード及び上記第２の表示モードを切り換えて画像を表示させる切替制御手段と、を具備することを特徴とする画像表示装置を有する機器。
【請求項９】
上記特定手段は、上記観察者の画像情報と所定の画像情報とを照合、又は上記観察者の音声情報と所定の音声情報とを照合することにより、上記観察者を特定することを特徴とする請求項８に記載の画像表示装置を有する機器。
【発明の詳細な説明】
【０００１】
【発明の属する技術分野】
本発明は、画像取得及び再生を可能とするカメラ等の画像表示装置を有する機器に用いられる表示装置の改良に関する。
【０００２】
【従来の技術】
画像の取得及び画像の再生を可能とする機器の代表的なものにデジタルスチルカメラ（デジタルカメラ）がある。デジタルカメラは従来のフィルム式カメラの形状に基づいて設計されたものが多いものの、内部機構が少なく電子回路の配置の自由度も高いことから、近年、フィルム式カメラとは異なる形状の製品も市場に出回り始めている。
【０００３】
また、デジタルカメラはフィルム式カメラと異なり、撮影後の画像を手軽に再生表示することができる。これがデジタルカメラの魅力の一つであり、デジタルカメラにおいては、画像再生用のモニタを備えていることが売れ筋商品となる条件の一つとなっている。
【０００４】
つまり、デジタルカメラは「カメラ」とは呼ばれるものの、画像の再生機器としての側面も有しているので、完全にパーソナルユースの製品と割り切れない部分がある。すなわち、デジタルカメラが画像の再生機器として使用されるときには、ユーザ以外の不特定多数の人によって使用されることも多かった。そうした中にあって、ユーザ以外の人の操作を受けつけないようにすることが可能なカメラも提案されている。
【０００５】
【特許文献１】
特開２００２−７７７００号公報
【０００６】
【発明が解決しようとする課題】
今後、映像情報機器が増加し、映像が氾濫してくると、ユーザの目も肥えてくるので、高画質な画像を大画面で見ることが可能な製品が望まれるようになると考えられる。この傾向はデジタルカメラにおいても同様であると考えられるが、大画面表示のためにモニタを大型化することは製品自体の小型化と相反することになる。
【０００７】
ここで、画像の再生時において望まれるモニタの大型化は、撮影時においてはむしろ邪魔になる場合も考えられる。例えば、撮影中には、構図やシャッタチャンスを考えて、カメラを構えなおしたり、上下左右に動かしたり、持ち替えたりなどをすることがある。このときモニタが大型であると、モニタを手で汚してしまったり、どこかにぶつけて損傷させたりする可能性が高くなる。
【０００８】
また、画像の再生時であっても、ユーザ自身が画像を大きな画面で見たいときや大きな画面で他人に見せたいときなどの、ユーザが望んだときのみに大画面表示が行われるほうが好ましい。つまり、ユーザが他人に見せたくないような画像までもが大画面で表示されてしまうのはプライバシーの保護の上でも好ましくない。
【０００９】
本発明は、上記の事情に鑑みてなされたもので、大画面のモニタを有する構造でありながら、大画面のモニタが必要でない場合には、この大画面モニタを隠して保護することができる画像表示装置を有する機器を提供することを目的とする。
【００１０】
また、本発明は、状況に応じて適切な再生制御を行うことによりユーザのプライバシーを保護することが可能な画像表示装置を有する機器を提供することを目的とする。
【００１１】
【課題を解決するための手段】
上記の目的を達成するために、本発明による画像表示装置を有する機器は、撮影レンズと、上記撮影レンズを介して取得した画像を表示する画面表示部を有する第１の筐体と、上記第１の筐体に対して相対移動が可能であり、上記画面表示部と対向して上記画面表示部の画面大きさをより小さく制限可能に構成された開口を有する第２の筐体とを具備することを特徴とする。
【００１２】
つまり、本発明の画像表示装置を有する機器は、第１の筐体に設けられた画面表示部の画面大きさを、第２の筐体によって制限することによって、画面表示部の全画面を用いる必要がないときには、画面表示部を隠して保護する。
【００１３】
また、上記の目的を達成するために、本発明による画像表示装置を有する機器は、画像を再生するためのモニタと、上記モニタを有する筐体と、上記モニタの画面大きさを規制するための規制部材とを有し、上記規制部材には、上記筐体を把持するためのグリップ部が形成されていることを特徴とする。
【００１４】
つまり、本発明の画像表示装置を有する機器は、モニタの画面大きさを規制部材によって規制するとともに、この規制部材に筐体を把持するためのグリップ部を形成している。これにより、モニタが汚れたり損傷したりする可能性を更に低減させることが可能である。
【００１５】
また、上記の目的を達成するために、本発明の画像表示装置を有する機器は、画像を縮小してモニタに表示する第１の表示モードと、画像を拡大して表示する第２の表示モードを有する表示装置であって、上記モニタを観察している観察者を特定する特定手段と、上記特定手段によって特定された観察者に応じて上記第１の表示モード及び上記第２の表示モードを切り換えて画像を表示させる切替制御手段とを具備することを特徴とする。
【００１６】
つまり、本発明の画像表示装置を有する機器は、モニタを観察している観察者を特定手段によって特定し、この特定手段による観察者の特定結果に応じて適切な再生制御を行う。
【００１７】
【発明の実施の形態】
以下、本発明の実施の形態を図面を参照して説明する。
［第１の実施の形態］
本発明の第１の実施の形態に係る画像表示装置を有する機器の一例であるカメラの外観構成を図１（Ａ）〜図１（Ｃ）に示す。なお、ここでの「カメラ」とはデジタルスチルカメラのことをいうものとする。
【００１８】
このカメラは、画像撮影時のモードである「撮影モード」と画像再生時のモードである「再生モード」の２種類のモードに対応する２種類の形態を有する。ここで、図１（Ａ）及び図１（Ｂ）はこのカメラが「撮影モード」の状態にあるときの形態を示す。図１（Ａ）は撮影モード時のカメラを前方から観察した様子を示し、図１（Ｂ）は撮影モード時のカメラを後方から観察した様子を示す。また、図１（Ｃ）はこのカメラが「再生モード」の状態にあるときの形態を示す。
【００１９】
つまり、このカメラは、図１（Ｃ）に示すように、扉部２ａ（特許請求の範囲に記載の第１の筐体）とカメラ本体２（特許請求の範囲に記載の第２の筐体，規制部材）とで構成される。そして、扉部２ａとカメラ本体２とは丁番部（特許請求の範囲に記載の丁番構造）２ｃを介して図の矢印で示す方向に相対的に回動可能（特許請求の範囲に記載の相対移動が可能）に構成されている。
【００２０】
ここで、撮影モードにおいては、図１（Ａ）に示すように、カメラの前面に、撮影レンズ１、ストロボ発光部３の他、マイク５等が配置される。また、カメラの上面にはレリーズボタン１０ａが配置される。更に、図１（Ｂ）に示すようにカメラの背面には、ファインダ用の窓として機能する開口４ａ及びカメラを保持するためのグリップ部２ｂが配置される。この撮影モード時には、大画面モニタ（特許請求の範囲に記載の画面表示部，モニタ）４の一部が開口４ａの分だけ露出されるようになっている。即ち、開口４ａによって大画面モニタ４の画面大きさを制限可能である。そして、この大画面モニタ４にファインダ用の画面表示がなされる。つまり、撮影モードにおいて、ユーザはカメラ本体２の背面に構成されたファインダを見ながら、グリップ部２ｂを握って撮影を行うことになる。
【００２１】
一方、撮影モードから画像を再生する再生モードにする際には、扉部２ａを図１（Ｃ）の矢印方向に回動させる。これにより、図１（Ｃ）のように、大画面モニタ４の全体やスピーカ６、及びモニタ表示用の操作ボタン群７が現れる。つまり、再生モード時においては、図１（Ｃ）に示すように大画面モニタ４の全画面が現れるので、画像を大画面で表示させることが可能となる。
【００２２】
このような折りたたみ式の構成をとることによってユーザ１１が撮影に専念している場合でも大画面モニタ４に触れてしまう可能性が少ない。また、画像再生時には大画面モニタ４を用いて画像を品位よく、迫力を持って再生可能である。
【００２３】
図２（Ａ）はユーザ１１がカメラを持って撮影しているところを前方から見たときの様子を示した図である。また、図２（Ｂ）はユーザ１１がカメラを持って撮影しているところを後方から見たときの様子を示した図である。図２（Ｂ）において、ユーザ１１は大画面モニタ４と開口４ａとで構成されるファインダを観察しながら、被写体１２を狙って構図を決めようとしている。このとき、ユーザ１１はグリップ部２ｂを握って撮影を行うので、大画面モニタ４が指紋や汗などによって汚れる可能性が少ない。なお、このユーザ１１は後で詳述するユーザ登録を行った人物のことをいう。
【００２４】
また、画像をモニタするときは、扉部２ａを扉状に開いて図２（Ｃ）のような状態にすれば、それによって現れる大画面モニタ４において大画面表示がなされるので、このカメラを電子アルバムとしても利用することができる。このとき、操作ボタン群７の各種ボタンを利用して画像再生時の画像切り換えや画像の検索等を行うことができる。なお、この操作ボタン群７は撮影時においては邪魔になるものであるが本実施の形態では、撮影時において操作ボタン群７が扉部２ａによって隠される。このため、撮影時に誤って操作ボタン群７を操作してしまうこともなく、カメラの信頼性を劣化させることもない。
【００２５】
また、画像の他に音声情報がある場合にはスピーカ６から音声を再生することも可能である。本実施の形態では、スピーカ６を図１（Ｃ）に示すように大画面モニタ４に対向するような形で配置している。これにより大型で音質に優れたスピーカを使用しながら、カメラの小型化も実現でき、また、撮影時にも邪魔にならない。
【００２６】
更に、本実施の形態において、特筆すべきことは、撮影モード時と再生モード時とでカメラの形態を異ならせたことである。これにより、ユーザ１１に、現在のカメラモードが撮影モードと再生モードの何れであるかを分かりやすく認知させることができる。従来のカメラは電子アルバムの再生機器としての使い勝手に留意されたものが少なかったが、本実施の形態のような工夫によって、単なる画像の撮影機器としてのみならず、画像の再生機器としての側面も魅力的なカメラを提供することができる。これは、表示モニタの大型化やスピーカの大型化などによってもたらされるものである。
【００２７】
次に、前述の大画面モニタ４及び開口４ａについて更に詳しく説明する。図３（Ａ）に大画面モニタ４の全表示領域の大きさと開口４ａによって規制された表示領域４ｂの大きさとの比較を示す。また、図３（Ｂ）は大画面モニタ４の全領域を用いて画像を表示させるとき、つまり、再生モード時の表示例である。更に、図３（Ｃ）は表示領域４ｂのみに画像を表示させてファインダとして機能させるときの表示例である。図３（Ｂ）の表示と図３（Ｃ）の表示の切り換えは、その縦横比を保ったまま拡大・縮小表示することによって行う。なお、撮影時においては、縮小表示により図３（Ｃ）のような表示を行うが、表示領域４ｂ以外の領域については、余計な表示を行わずに省エネルギー化を図る。
【００２８】
なお、図２（Ｂ）及び図２（Ｃ）に示すように、撮影モード時と再生モード時とでは、大画面モニタ４の天地方向が反転することになるので、撮影モード時と再生モード時とで、表示画像の天地方向を反転させる必要がある。このような表示の切り換えは図４の画像処理回路２２や表示回路２４等で行う。反転表示は表示回路２４にシリアル入力させる信号の順番を反対にして行い、また、縮小は特定のエリアのみに間引きされた信号を入力すればよい。このような制御はＣＰＵ１０が画像処理回路を介して行うが、これらの制御を総称して特許請求の範囲に記載の表示制御手段と呼ぶことができる。
【００２９】
次に、このカメラの内部構成について説明する。図４にこのカメラの内部の回路ブロック図を示す。
撮影レンズ１を介して受光した被写体像をＣＣＤやＣＭＯＳセンサなどの撮像素子２０によって電気信号に変換し、更にアナログ／デジタル（Ａ／Ｄ）変換回路２１によって、撮像素子２０からの出力をデジタル化した後、画像処理回路２２に出力する。この後、画像処理回路２２はデジタル画像の色調やコントラストを整えた後、画像データの圧縮処理を行って記録部２３に記録させる。
【００３０】
一方、記録部２３に記録させた画像データを表示させる場合には、記録部２３に記録された画像データを、画像処理回路２２を介して表示回路２４に入力する、そして、表示回路２４によって前述の大画面モニタ４に画像を表示させる。
【００３１】
更に、撮像素子２０の出力を画像処理回路２２で処理した後、記録部２３に記録させずに直接、大画面モニタ４に表示させることもできる。このような制御を行うことによって、図２（Ｂ）のような状態で大画面モニタ４をファインダとして用いることが可能となる。
【００３２】
なお、撮影時においては、画像処理回路２２の画像処理信号の一部を利用して、その利用した部分の信号のコントラストが最も高くなるようにピント制御回路２５を介して撮影レンズを駆動制御するようにすることでオートフォーカス制御が可能である。
【００３３】
演算制御回路（ＣＰＵ）１０はマイクロコンピュータ等で構成されており、カメラユーザによる各種スイッチの入力状態を判定して、その判定したスイッチの入力状態に応じて一連の撮影シーケンスの制御や表示再生の制御等を行う。
【００３４】
ここで、レリーズスイッチ１０ａはレリーズボタン１０ａによってＯＮ／ＯＦＦされるスイッチである。ＣＰＵ１０はレリーズスイッチ１０ａのＯＮ状態を判定した場合に露出動作を開始させる。また、モード判定スイッチ１０ｂは扉部２ａの開閉状態によりＯＮ／ＯＦＦされるスイッチである。ＣＰＵ１０はモード判定スイッチ１０ｂの状態により撮影モード及び再生モードの判定を行う。更に操作スイッチ群７は再生モード時に操作ボタン群７の各種ボタンにより操作されるスイッチ群である。
【００３５】
また、ＣＰＵ１０は露出時にストロボ制御回路２６を制御する。ストロボ制御回路２６はＣＰＵ１０の制御により、ストロボ発光部３から被写体に補助光を照射する。
【００３６】
更に、マイク５から音声の入力があった場合には、その音声信号をＡ／Ｄ変換回路２７を介してデジタル化して取り込む。ＣＰＵ１０は、この取り込んだ音声データを画像処理回路２２のデータ圧縮機能を利用して圧縮した後、記録部２３に記録させる制御を行う。また、ＣＰＵ１０は記録部２３に記録させた音声データを伸張し、その信号をアンプ２８によって増幅した後、スピーカ６を介して音声として再生する制御も行う。
【００３７】
このような構成のカメラにおいて、ＣＰＵ１０は図５のような制御手段としてのフローチャートに従った制御を実行する。以後、この図５のフローチャートについて説明する。まず、ＣＰＵ１０は前述の扉部２ａが閉じているか否かを判定する（Ｓ１）。これはモード判定スイッチ１０ｂのＯＮ／ＯＦＦ状態により判定すれば良い。
【００３８】
Ｓ１の判定において、扉部２ａが閉じていると判定したときには特許請求の範囲に記載の第１のモードである撮影モードである。撮影モードにおいては、まず、カメラのメインスイッチがＯＮ状態であるか否かを判定する（Ｓ８）。なお、このメインスイッチは図示されていないが、例えば、機械的なスイッチであってもよいし、タッチセンサ等によりグリップ部２ｂを握るとＯＮするように構成してもよい。Ｓ８の判定において、メインスイッチがＯＮ状態でないと判定した場合にはＳ１に戻る。一方、Ｓ８の判定において、メインスイッチがＯＮ状態であると判定した場合には、図３（Ｃ）に示すようなファインダ表示を行うために、撮像素子２０によって撮像した画像を縮小して大画面モニタ４の表示領域４ｂに特許請求の範囲に記載の第１の表示モードである表示を行う（Ｓ９）。これにより、ユーザ１１はファインダを見ながら撮影を行うことができる。なお、音声を録音する場合には、この表示領域４ｂに画像を表示させるのと並行して録音動作を開始（Ｓ１０）させてもよい。
【００３９】
この状態でＣＰＵ１０はカメラユーザによりレリーズスイッチ１０ａがＯＮ操作されたか否かを判定する（Ｓ１１）。レリーズスイッチ１０ａがＯＮ操作されていないと判定した場合にはＳ１に戻る。このとき、省エネルギー化のために所定時間経過後にファインダ表示をＯＦＦするようにしてもよい。
【００４０】
一方、Ｓ１１の判定において、レリーズスイッチ１０ａがＯＮ操作されたと判定した場合には、撮影レンズ１のピント合わせを行った後（Ｓ１２）、露出を行う（Ｓ１３）。なお、前述したＳ１０の録音を開始した場合には、録音の終了指示が入力されたか否かを判定するようにして（Ｓ１４）、録音終了の指示が入力されたと判定した場合に録音を終了させる（Ｓ１５）ようにしてもよい。この場合には、録音終了後に録音した音声データの中でどのデータを記録部２３に記録させたいのかをユーザに指定させるようにする（Ｓ１６）ステップを設けてもよい。
【００４１】
以上の動作により露出が終了した後には、画像データを記録部２３に記録させる（Ｓ１７）。また、録音した音声データが存在する場合には、それも記録部２３に記録させる。画像データ及び音声データの記録を終了した後は本フローチャートの制御を終了する。
【００４２】
また、Ｓ１の判定において、扉部２ａが開いていると判定したときには特許請求の範囲に記載の第２のモードである再生モードである。なお、これから説明する再生モードにおいては、プライバシーの保護のために、登録を行ったユーザ以外では撮影モードの動作が行われない例についても説明する。
【００４３】
撮影モード時には、まず、撮影レンズ１を介して観察者の画像情報を取得する（Ｓ２）。次に、観察者の音声入力により観察者の音声情報を取得する（Ｓ３）。次に、Ｓ２及びＳ３で取得した画像情報及び音声情報が予め登録してあるユーザの画像情報及び音声情報と一致しているか否かを判定する（Ｓ４）。Ｓ４の判定において、画像情報及び音声情報が予め登録してある情報と一致していないと判定した場合には、プライバシーの保護を考慮して再生モードを終了し、Ｓ１に戻る。なお、入力された画像及び音声が予め登録されたものと一致しない場合には、再生モード時においても縮小表示が行われるようにしてもよい。
【００４４】
一方、Ｓ４の判定において、画像情報及び音声情報が予め登録してある情報と一致したと判定した場合には、図３（Ｂ）に示すような、大画面モニタ４の全領域を用いた特許請求の範囲に記載の第２の表示モードである大画面表示（拡大表示）を行う（Ｓ５）。即ちＳ４の制御が特許請求の範囲に記載の観察者を特定する特定手段に相当し、上記Ｓ２での観察者の画像情報と所定の画像情報とを照合するか、又は上記Ｓ３での観察者の音声情報と所定の音声情報とを照合することにより観察者を特定する。なお、再生モード時と撮影モード時とでは前述したように大画面モニタ４の天地方向が反転するので、Ｓ５の拡大表示時では表示回路２４により画像の天地方向を反転させて表示を行う。
【００４５】
この後、音声情報を再生するか否かを判定する（Ｓ６）。これは、例えば、再生する画像データに対応する音声データがある場合には自動的に再生されるようにしてもよいし、操作ボタン群７に音声再生用のボタンを設けておき、そのボタンがＯＮ操作された場合に対応する音声データを再生するようにしてもよい。Ｓ６の判定において、音声情報を再生しないと判定した場合には、本フローチャートの制御を終了する。このとき表示されている画像は、所定時間経過後に自動的にＯＦＦされるようにする。または、表示をＯＦＦする所定のスイッチがＯＮされた場合に表示をＯＦＦするようにしてもよい。
【００４６】
一方、Ｓ６の判定において、音声情報を再生すると判定した場合には、対応する音声データを再生する（Ｓ７）。そして、本フローチャートの制御を終了する。このとき表示されている画像及び再生されている音声は、所定時間経過後に自動的にＯＦＦされるようにする。または、これらをＯＦＦする所定のスイッチがＯＮされた場合に画像表示及び音声再生をＯＦＦするようにしてもよい。
【００４７】
なお、このカメラは、図６に示すようにして扉部２ａを開いて机の上に置くことで電子写真立てとして使用することができる。次にこのモード（以後、電子写真立てモードと称する）時の制御について図７を用いて説明する。なお、この電子写真立てモードは前述してきた再生モードとは異なるモードであり、扉部２ａが開かれ、かつ、カメラのモードが電子写真立てモードに切り換えられた場合にのみ動作するものとする。これは、例えば、操作スイッチ群７の一つにカメラモードを電子写真立てモードに切り換えるためのスイッチを含めて構成しておけばよい。
【００４８】
電子写真立てモードでは、まず、撮像素子２０による撮像を行う。このとき、マイク５を介して音声が入力された場合にはその音声情報も取り込む（Ｓ２１）。次に、Ｓ２１で取得した結果が予め設定された所定条件を満足しているか否かを判定する（Ｓ２２）。つまり、電子写真立てモードでは所定条件を満たしたときのみ大画面表示を行う。なお、所定条件は、例えば、部屋に電気が灯された場合、撮影レンズ１に手がかざされた場合、マイク５から所定の音声が入力された場合や、登録されたユーザであると認証された場合等を条件とすればよい。
【００４９】
Ｓ２２の判定において、Ｓ２１で取得した結果が所定条件を満足していないと判定した場合には、Ｓ２５に移行する。一方、Ｓ２２の判定において、Ｓ２１で取得した結果が所定条件を満足していると判定した場合には、大画面モニタ４に大画面表示を行う（Ｓ２３）。図６により明らかであるが、電子写真立てモードでは再生モードとは異なり、大画面モニタ４の天地方向が反転しないので、画像表示の際には反転表示制御を行わない。
【００５０】
なお、表示を行った後は、所定時間表示を継続させる（Ｓ２４）。なお、所定時間の経過後に画像表示を自動的に終了させるようにしてもよい。これは、観察者が大画面モニタ４をずっと見ている確率が低いためである。なお、自動的に表示を終了させずに、観察者の任意の操作により表示を終了させるようにしてもよいことはいうまでもない。
【００５１】
表示が終了した後は電子写真立てモードが解除されたか否かを判定する（Ｓ２５）。これは、操作スイッチ群７の操作によりモードが解除されたか否か、又は、扉部２ａが閉じられたか否かを判定すればよい。Ｓ２５の判定において、電子写真立てモードが解除されていないと判定した場合にはＳ２１に戻り、再び撮像や集音を開始する。一方、Ｓ２６の判定において、電子写真立てモードが解除されたと判定した場合には、この電子写真立てモードのフローチャートの制御を終了する。
【００５２】
なお、図５のＳ４におけるユーザ認証や図７のＳ２２における所定条件判定は、画像データや音声データが予めユーザが設定した条件になったことを判定する必要がある。ここでは、ユーザ登録の場合を例にとって所定条件の入力プロセスについて説明する。図８はこのときの入力手順を示すフローチャートである。
【００５３】
ユーザ認証用に用いる基準信号としては画像信号のみを用いる場合、音声信号のみを用いる場合、又は画像信号と音声信号の両方を用いる場合の３つのパターンが考えられる。
【００５４】
基準信号の入力モードにおいて、ＣＰＵ１０は、まず、画像信号の入力を必要とするか否かを判定する（Ｓ３１）。これは製造時に予め決定しておいてもよいし、ユーザの任意の操作を判定するようにしてもよい。Ｓ３１の判定において、画像信号の入力を必要としないと判定した場合、つまり、音声のみの入力を行う場合にはＳ３５に移行する。一方、Ｓ３１の判定において、画像信号の入力を必要とすると判定した場合には、撮像素子２０による撮像を開始して得られた画像を大画面モニタ４に表示させる（Ｓ３２）。なお、このときは大画面モニタの天地方向が反転するので画像表示時には天地方向を反転させる。この後、ユーザによりレリーズスイッチ１０ａがＯＮされたか否かを判定する（Ｓ３３）。Ｓ３３においてレリーズスイッチ１０ａがＯＮされていないと判定した場合にはＳ３２に戻る。一方、Ｓ３３においてレリーズスイッチ１０ａがＯＮされたと判定した場合には、特許請求の範囲に記載の所定の画像情報としての基準画像信号の取得を完了させる（Ｓ３４）。
【００５５】
次に、音声信号の入力を必要とするか否かを判定する（Ｓ３５）。Ｓ３５の判定において、音声信号の入力を必要としないと判定した場合には、この基準信号入力のフローチャートを終了する。一方、Ｓ３５の判定において、音声信号の入力を必要とすると判定した場合には、ユーザの操作により音声入力が開始されたか否かを判定する（Ｓ３６）。Ｓ３６の判定において、音声入力が開始されていないと判定した場合にはＳ３５に戻る。一方、Ｓ３６の判定において、音声入力が開始されたと判定した場合には、集音を開始し、同時に集音時間を大画面モニタ４に表示させる（Ｓ３７）。
【００５６】
この時間表示は、図９に示すようにユーザの像１１と共に表示されるものである。なお、図９では時間表示をバーグラフ３０で表示している。このバーグラフは所定時間ｔ０ごとに１セグメントずつ点灯していく。そして、この図９の例では７セグメント点灯したときに認証用の特許請求の範囲に記載の所定の音声情報としての基準音声信号の集音が終了する。
【００５７】
ユーザは、このセグメントの点灯のタイミングに従って、発音のタイミングを調整しながら音声の入力を行う。例えば、「こんにちは」という音声を基準信号として登録する場合には、時間ｔ０が経過するごとに、「こ」、「ん」、「に」、「ち」、「は」というように入力すればよい。図９の例のように７セグメントのときは最初の２つのセグメントの点灯を見て、音声入力のタイミングを確認し、後の５セグメントで音声を入力していけばよい。
【００５８】
このような集音時にＣＰＵ１０は、音声入力が終了したか否か、つまり、７セグメント分の時間が経過したか否かを判定する（Ｓ３８）。Ｓ３８の判定において、音声入力が終了していないと判定した場合にはＳ３７に戻り、集音を続ける。一方、Ｓ３８の判定において、音声入力が終了していないと判定した場合には、基準音声信号の取得を完了させた後（Ｓ３９）、この基準信号入力のフローチャートを終了する。
【００５９】
再生モードや電子写真立てモードにおいて画像及び音声によって認証を行う際にも図９と同様の制御を行えばよい。つまり、例えば、画像信号入力による像比較の例では図９（Ｂ）や図９（Ｃ）のように２つの像の明暗の変化を用い、予め基準信号と新たに入力された画像信号を照合（比較）し、一致度が高いときに認証を終了する。この照合判定は図４のＣＰＵ１０が行う。
【００６０】
なお、画像での認証時には、撮像結果の一部（図９においては領域３１）が登録時の画像と一致した場合には認証が行われるようにしてもよい。このような認証においては、あまり複雑な認証を行うようにするとＣＰＵ１０が誤判定する可能性が高く、また、認証が終了するまでの時間も長くかかるようになる。そこで、認証を単純化することにより誤判定の可能性を低減させる。更に、基準信号の入力時には、通常の撮影と異なることを明示するために、例えば、「基準入力」という文字情報３２を表示させてもよい。
【００６１】
以上説明したように、本実施の形態によれば撮影モードと再生モードとで形態を異なるようにしたので、ユーザに分かりやすい。また、再生モード時に使用する機能は、撮影モード時には扉部によって隠されているので撮影時の機動性がよく、また、再生時には、大画面のモニタにより高画質の画像を見ることができる。また、ユーザ以外の人間では再生モードが動作しないようになっているので、プライバシーの保護も図ることが可能である。
【００６２】
［第２の実施の形態］
次に本発明の第２の実施の形態について図１０（Ａ）及び図１０（Ｂ）を用いて説明する。つまり、この第２の実施の形態に係る画像表示装置を有する機器としてのカメラでは大画面モニタ４の画面大きさを規制するのにカメラ本体２の背面に設けられたグリップ部２ｄ，２ｅによるスライド式の構造を用いる。なお、このグリップ部２ｄ，２ｅが特許請求の範囲に記載の規制部材である。
【００６３】
即ち、グリップ部２ｄ，２ｅをそれぞれ、図１０（Ａ）の矢印方向にスライドさせることにより大画面モニタ４の全画面が現れる。これによりカメラモードが再生モードとなり、大画面表示がなされる。
【００６４】
一方、撮影モードは、グリップ部２ｄ，２ｅをそれぞれ図１０（Ｂ）の矢印方向にスライドさせることにより大画面モニタ４の画面大きさが小さく制限される。このとき、ユーザによるスライド操作を判定するようにして、スライド操作により制限された画面大きさに従って、画像をもとの画像の縦横比を保ったまま縮小表示する。
【００６５】
また、本実施の形態においては、撮影用の撮影レンズ１とは別に、ユーザ認証に用いるための別のレンズ（ユーザ認証用レンズ）１ａが設けられている。また、このユーザ認証用レンズ１ａを介して入射した像を受けるための図示しない撮像素子がカメラ内部に構成されている。
【００６６】
以上説明したように、本実施の形態においても、撮影時には大画面のモニタが隠されているので、機動性がよく、また画面を汚したり傷つけたりすることがない。また、画像の再生時には美しい画像を大画面で表示することができる。
【００６７】
［第３の実施の形態］
次に、図１１（Ａ）〜図１１（Ｄ）を参照して本発明の第３の実施の形態について説明する。この第３の実施の形態は第１の実施の形態における扉部２ａと同様の構成を、画像表示装置を有する機器としてのカメラの背面に構成した例であるが、第１の実施の形態とは逆に、開口４ａを扉部２ａに設け、大画面モニタ４をカメラ本体２に設けた点が異なる。
【００６８】
本実施の形態の動作は前述の第１の実施の形態と同様で、図１１（Ｂ）のように扉部２ａを閉じることにより撮影モードとなり大画面モニタ４が保護される。このとき、開口４ａに制限された画面大きさに全画像が表示できるように縮小表示することも前述した第１及び第２の実施の形態と同様である。
【００６９】
一方、再生モード時には図１１（Ａ）のようにして扉部２ａを開くことにより大画面モニタ４の全画面が現れ、また、操作ボタン群なども現れるようになる。
なお、本実施の形態においてはユーザ認証用レンズ１ａをカメラの背面に配置しており、扉部２ａが閉じられている場合には、このユーザ認証用レンズ１ａが隠れて保護されるようになっている。
【００７０】
このようにして扉部２ａをカメラの背面に設けたことにより、カメラ前面に配置された撮影レンズ１を保護するためのレンズバリア２ｆを設けることが可能になる。図１１（Ｃ）及び図１１（Ｄ）は、それぞれレンズバリア２ｆが開いている状態及び閉じている状態を示す。更にこのレンズバリア２ｆの開閉状態とカメラの電源のＯＮ／ＯＦＦとを連動させるようにしてもよい。
【００７１】
以上、本発明の全実施の形態の画像表示装置を有する機器において、必要な場合においてのみ大画面表示させるので、常に大画面を駆動して大きな消費エネルギーを費やすこともなく省エネルギーとなる。この効果の一つとして長時間の撮影を楽しむことができることになる。
【００７２】
また、本発明は、状況に応じて適切な再生制御を行うことによりユーザのプライバシーを保護することが可能な画像表示装置を有する機器を提供することができる。
【００７３】
以上実施の形態に基づいて本発明を説明したが、本発明は前述した実施の形態に限定されるものではなく、本発明の要旨の範囲内で種々の変形や応用が可能なことは勿論である。
【００７４】
【発明の効果】
以上詳述したように、本発明によれば、大画面のモニタを有する構造でありながら、大画面のモニタが必要でない場合には、この大画面モニタを隠して保護することができる画像表示装置を有する機器を提供することができる。
【図面の簡単な説明】
【図１】本発明の第１の実施の形態に係る画像表示装置を有する機器の一例であるカメラの外観構成図である。
【図２】図２（Ａ）はユーザがカメラを持って撮影しているところを前方から見たときの様子を示した図であり、図２（Ｂ）はユーザがカメラを持って撮影しているところを後方から見たときの様子を示した図であり、図２（Ｃ）はユーザが画像を再生しているときの様子を示した図である。
【図３】図３（Ａ）は大画面の全領域と規制後の領域との比較図であり、図３（Ｂ）は全画面表示の例を示す図であり、図３（Ｃ）は縮小表示の例を示す図である。
【図４】カメラの内部構成を説明するためのブロック図である。
【図５】カメラにおけるメイン動作の制御手順を示すフローチャートである。
【図６】カメラを電子写真立てとして使用する際の例を示す図である。
【図７】電子写真立てモードにおける制御手順を示すフローチャートである。
【図８】基準信号入力時の制御手順を示すフローチャートである。
【図９】図９（Ａ）は基準信号入力時の表示例を示す図であり、図９（Ｂ）は像比較の例において基準像信号に対して入力された像信号の一致度が高いときの図であり、図９（Ｃ）は像比較の例において基準像信号に対して入力された像信号の一致度が低いときの例を示す図である。
【図１０】本発明の第２の実施の形態に係る画像表示装置を有する機器としてのカメラの外観構成図である。
【図１１】本発明の第３の実施の形態に係る画像表示装置を有する機器としてのカメラの外観構成図である。
【符号の説明】１…撮影レンズ、１ａ…ユーザ認証用レンズ、２…カメラ本体、２ａ…扉部、２ｂ，２ｄ，２ｅ…グリップ部、２ｃ…丁番部、２ｆ…レンズバリア、３…ストロボ発光部、４…大画面モニタ（モニタ）、４ａ…開口、５…マイク、６…スピーカ、７…操作ボタン群、１０…演算制御回路（ＣＰＵ）、１０ａ…レリーズボタン、１０ｂ…モード判定スイッチ、２０…撮像素子、２１，２７…アナログ／デジタル（Ａ／Ｄ）変換回路、２２…画像処理回路、２３…記録部、２４…表示回路、２５…ピント制御回路、２６…ストロボ制御回路、２８…アンプ
【図１】
2004229080.tif 000003
【図２】
2004229080.tif 000004
【図３】
2004229080.tif 000005
【図４】
2004229080.tif 000006
【図５】
2004229080.tif 000007
【図６】
2004229080.tif 000008
【図７】
2004229080.tif 000009
【図８】
2004229080.tif 000010
【図９】
2004229080.tif 000011
【図１０】
2004229080.tif 000012
【図１１】
2004229080.tif 000013